【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
データを破壊したり所望のダイナミック・レンジを低下させることなく、１次データ・セットに２次データ・セットの情報をマージする方法であって、
（ａ） 複数のデータ・ワードを有している１次データ・セットを収集する工程と、
（ｂ） 該１次データ・セットのエントリに対応しているデータ・ワードを有している２次データ・セットを収集する工程と、
（ｃ） 該２次データ・ワードをＭ個のビットに縮小して、縮小された２次データ・ワードを作成する工程と、
（ｄ） 再生の際に最大の所望のダイナミック・レンジについてのビットの数Ｄを決定する工程と、
（ｅ） 再生装置のワードのビットの数Ｐを決定する工程と、
（ｆ） 縮小された２次データ・ワードのＭ個のビットを前記１次データ・ワードのＭ個の最下位ビット位置にマージして、強調されたデータ・ワードを結果として得る工程とを備えた２次データ・セットの情報をマージする方法。
【請求項２】
前記１次データ・セットは、ディジタル画像又は磁気共鳴画像を含んでいる請求項１に記載の２次データ・セットの情報をマージする方法。
【請求項３】
追加の情報がマージされた状態でデータの１次のセットを有している強調された画像データを再生する方法であって、
（ａ） ユーザにより定義される色閾値を受け取る工程と、
（ｂ） ユーザにより定義されるウィンドウ・レンジを受け取る工程と、
（ｃ） 該ウィンドウ・レンジ内の値に対応しているエントリを有している少なくとも１つのカラー・ルックアップ・テーブルを形成する工程であって、前記閾値を下回る前記エントリは、グレイ・スケールの濃淡に関係しており、前記閾値を上回る前記エントリは、所定の色の異なる濃淡に関係している、少なくとも１つのカラー・ルックアップ・テーブルを形成する工程と、
（ｄ） あるピクセルについての強調されたデータ値を読み取る工程と、
（ｅ） 強調された該データ値に対応している前記ルックアップ・テーブル内のエントリを探して、前記強調されたデータ値が前記閾値を上回っているならば色の濃淡を結果として得、前記強調されたデータ値が前記閾値を下回っているならばグレイ・スケールの濃淡を結果として得る工程と、
（ｆ） 前記ピクセルを前記色及びグレイ・スケールの濃淡により表示する工程とを備えた強調された画像データを再生する方法。
【請求項４】
ダイナミック・レンジ及び信号の品質を実質的に低下させることなく、１次データ・ソースからの１次データ・セットの使用されていない部分に、２次データ・ソースからの２次データ・セットの情報をマージするシステムであって、
（ａ） ディジタル情報を記憶することの可能な記憶装置と、
（ｂ） 前記２次データ・ソースに結合されており、２次データ・ワードをより短い縮小された２次データ・ワードに縮小するデータ縮小装置と、
（ｃ） 該データ縮小装置に結合されており、前記縮小された２次データ・ワードを受け取り、該縮小された２次データ・ワードを、前記１次データ・ワードの最下位ビットに組み入れると共に、該データ・ワードを強調されたデータ・ワードとして前記記憶装置に記憶させるマージ装置とを備えた２次データ・セットの情報をマージするシステム。
【請求項５】
前記データ縮小装置は、再生の際の最大の所望のダイナミック・レンジについてのビットの数Ｄを決定すると共に再生装置のワードのビットの数Ｐを決定するように動作し、Ｄ及びＰの前記値をマージ装置に渡し、前記２次データ・ワードを長さＭのビットに縮小して、縮小された該２次データ・ワードをマージ装置に供給する請求項４に記載の２次データ・セットの情報をマージするシステム。
【請求項６】
前記マージ装置は、複数の１次データ・セット・ワードを、最上位ビットに向かって、Ｐ−Ｄに等しい最大の数Ｆのビット位置だけシフトさせるように動作し、次いで、シフトされた前記１次データ・セット・ワードのＭ個の最下位ビット位置にＭ個のビットをマージして、前記所望のダイナミック・レンジを保持したまま強調されたデータ・セット・ワードを結果として得ると共に、該強調されたデータ・ワードを記憶装置に記憶させる請求項５に記載の２次データ・セットの情報をマージするシステム。
【請求項７】
１次データ・セットにマージされた２次画像情報を有している強調された画像データを再生するシステムであって、
（ａ） 前記強調された画像データを受け取るメモリ・バッファと、
（ｂ） ユーザにより定義される色閾値の範囲内の値に対応しているエントリを有している少なくとも１つのカラー・ルックアップ・テーブルを作成するカラー・ルックアップ装置であって、前記色閾値を下回る前記エントリは、グレイ・スケールの濃淡に関係しており、前記色閾値を上回る前記エントリは、所定の色の異なる濃淡に関係している、カラー・ルックアップ装置と、
（ｃ） 該カラー・ルックアップ装置及び前記メモリ・バッファに結合されており、あるピクセルを表す強調されたデータ・ワードを選択し、埋め込まれている前記２次情報を選択し、該情報を用いてカラー・ルックアップ・テーブルを選択し、残りの前記強調されたデータ・ワードの情報を用いて選択された前記ルックアップ・テーブル内のエントリを選択して、前記強調されたデータ値が前記色閾値を上回っているならば色の濃淡を結果として得、前記エントリが前記色閾値を下回っているならばグレイ・スケールの濃淡を結果として得る制御装置と、
（ｄ） 該制御装置に結合されており、各々のピクセルについて前記カラー・ルックアップ・テーブルのエントリを受け取り、前記ピクセルに対応している色及びグレイ・スケールの濃淡に従って前記ピクセルを表示するカラー表示装置とを備えた強調された画像データを再生するシステム。
【請求項８】
１次データ・セットにマージされた２次ディジタル情報を有している強調されたディジタル・データを再生するシステムであって、
（ａ） 前記強調されたディジタル・データを受け取る記憶装置と、
（ｂ） ２次再生装置と、
（ｃ） 該２次再生装置及び前記記憶装置に結合されており、強調されたデータ・ワードを選択し、埋め込まれている前記２次ディジタル情報を選択して、該２次ディジタル情報を前記２次再生装置に渡す制御装置と、
（ｄ） 該制御装置に結合されており、前記強調されたディジタル・データを不変のまま再生する１次再生装置とを備えた強調されたディジタル・データを再生するシステム。
【請求項９】
２次データ・セット・ワードにより１次データ・セット・ワードを強調する方法であって、
（ａ） 前記２次データ・セット・ワードの各々をＭ個のビットのデータに縮小して、縮小されたデータ・ワードを結果として得る工程と、
（ｂ） 該縮小されたデータ・ワードを前記１次データ・ワードに挿入する工程とを備えた１次データ・セット・ワードを強調する方法。
【請求項１０】
強調されたディジタル・データを表示する方法であって、
（ａ） 前記強調されたデータ・ワード内の２次データ・セットの部分に基づいてカラー・ルックアップ・テーブルを選択する工程と、
（ｂ） 前記強調されたデータ・ワード内の１次データ・セットの情報を表示手段用の表示強度へ変換するために、選択された前記ルックアップ・テーブルからカラー・ルックアップ・テーブルのエントリを選択する工程とを備えた強調されたディジタル・データを表示する方法。